(57)【特許請求の範囲】
【請求項１】
ユーザ端末およびコンテンツ作成装置で実行されるコンテンツ作成方法であって、
前記ユーザ端末が、会場で複数の曲の実演を視聴している視聴者の一連のバイタル情報を受信する受信ステップと、
前記ユーザ端末が、前記受信ステップによって受信されたバイタル情報の値が所定値以上となった時刻、または、前記バイタル情報の値の変化が所定値以上となった時刻を検出する検出ステップと、
前記コンテンツ作成装置が、前記検出ステップによって検出された時刻において実演されていた曲を特定する特定ステップと、
前記コンテンツ作成装置が、各曲のビデオクリップ及び各曲のＣＤリリース版の曲をコンテンツデータとしてそれぞれ記憶するコンテンツデータ記憶部から、前記特定ステップによって特定された曲に対応するビデオクリップまたはＣＤリリース版の曲を取得する取得ステップと、
前記コンテンツ作成装置が、前記取得ステップによって取得されたビデオクリップまたはＣＤリリース版の曲をつなぎ合わせた編集コンテンツを作成する作成ステップと、
前記コンテンツ作成装置が、前記作成ステップによって作成された編集コンテンツを前記ユーザ端末に提供する提供ステップと、
を含んだことを特徴とするコンテンツ作成方法。
【請求項２】
前記特定ステップは、前記会場で実演された曲と該曲が実演された時刻とを対応付けて記憶する曲記憶部から、前記検出ステップによって検出された時刻に対応する曲を取得し、取得された曲を実演されていた曲として特定することを特徴とする請求項１に記載のコンテンツ作成方法。 
【請求項３】
前記バイタル情報は、前記視聴者の呼吸数、脈拍、血圧、および、体温の少なくともいずれかを示す情報であることを特徴とする請求項１または２に記載のコンテンツ作成方法。 
【請求項４】
会場で複数の曲の実演を視聴している視聴者の一連のバイタル情報の値が所定値以上となった時刻、または、前記バイタル情報の値の変化が所定値以上となった時刻において実演されていた曲を特定する特定部と、
各曲のビデオクリップ及び各曲のＣＤリリース版の曲をコンテンツデータとしてそれぞれ記憶するコンテンツデータ記憶部と、
前記コンテンツデータ記憶部から、前記特定部によって特定された曲に対応するビデオクリップまたはＣＤリリース版の曲を取得する取得部と、
前記取得部によって取得されたビデオクリップまたはＣＤリリース版の曲をつなぎ合わせた編集コンテンツを作成する作成部と、
前記作成部によって作成された編集コンテンツをユーザ端末に提供する提供部と、
を備えたことを特徴とするコンテンツ作成装置。
【請求項５】
前記特定部は、前記会場で実演された曲と該曲が実演された時刻とを対応付けて記憶する曲記憶部から、前記バイタル情報の値が所定値以上となった時刻、または、前記バイタル情報の値の変化が所定値以上となった時刻に対応する曲を取得し、取得された曲を実演されていた曲として特定することを特徴とする請求項４に記載のコンテンツ作成装置。 
【請求項６】
前記バイタル情報は、前記視聴者の呼吸数、脈拍、血圧、および、体温の少なくともいずれかを示す情報であることを特徴とする請求項４または５に記載のコンテンツ作成装置。 
【請求項７】
会場で複数の曲の実演を視聴している視聴者の一連のバイタル情報の値が所定値以上となった時刻、または、前記バイタル情報の値の変化が所定値以上となった時刻において実演されていた曲を特定する特定ステップと、
各曲のビデオクリップ及び各曲のＣＤリリース版の曲をコンテンツデータとしてそれぞれ記憶するコンテンツデータ記憶部から、前記特定ステップによって特定された曲に対応するビデオクリップまたはＣＤリリース版の曲を取得する取得ステップと、
前記取得ステップによって取得されたビデオクリップまたはＣＤリリース版の曲をつなぎ合わせた編集コンテンツを作成する作成ステップと、
前記作成ステップによって作成された編集コンテンツを前記視聴者が有するユーザ端末に提供する提供ステップと、
をコンピュータに実行させることを特徴とするコンテンツ作成プログラム。
【発明の詳細な説明】
【技術分野】
【０００１】
本発明は、コンテンツ作成方法、コンテンツ作成装置及びコンテンツ作成プログラムに関する。
【背景技術】
【０００２】
従来、映像コンテンツ等のダイジェスト映像を作成する技術が提案されている。例えば、特許文献１には、映像コンテンツ中、登場人物等の感情（悲しい、楽しい）の表出があった箇所を抽出し、ダイジェスト映像を作成する技術が開示されている。
【先行技術文献】
【特許文献】
【０００３】
【特許文献１】特開２００９−１１１９３８号公報
【発明の概要】
【発明が解決しようとする課題】
【０００４】
しかし、上述した従来の技術では、作成されたダイジェスト映像は、映像コンテンツの登場人物の感情の表出があった箇所を抽出しているので、コンテンツを視聴する視聴者に応じたコンテンツを提供することができないという課題があった。つまり、上記した従来の技術では、視聴者の状態を考慮しておらず、コンテンツを視聴する視聴者に応じたコンテンツを提供することができなかった。
【０００５】
そこで、この発明は、コンテンツを視聴する視聴者に応じたコンテンツを提供することを目的とする。
【課題を解決するための手段】
【０００６】
上述した課題を解決し、目的を達成するため、開示のコンテンツ作成方法は、ユーザ端末およびコンテンツ作成装置で実行されるコンテンツ作成方法であって、前記ユーザ端末が、会場で実演を視聴している視聴者の一連のバイタル情報を受信する受信ステップと、前記ユーザ端末が、前記受信ステップによって受信されたバイタル情報の値が所定値以上となった時刻、または、前記バイタル情報の値の変化が所定値以上となった時刻を検出する検出ステップと、前記コンテンツ作成装置が、前記検出ステップによって検出された時刻において実演されていた演目を特定する特定ステップと、前記コンテンツ作成装置が、前記特定ステップによって特定された演目に対応するコンテンツデータを取得する取得ステップと、前記コンテンツ作成装置が、前記取得ステップによって取得されたコンテンツデータをつなぎ合わせた編集映像を作成する作成ステップと、を含んだことを特徴とする。
【０００７】
また、開示のコンテンツ作成装置は、会場で実演を視聴している視聴者の一連のバイタル情報の値が所定値以上となった時刻、または、前記バイタル情報の値の変化が所定値以上となった時刻において実演されていた演目を特定する特定部と、前記特定部によって特定された演目に対応するコンテンツデータを取得する取得部と、前記取得部によって取得されたコンテンツデータをつなぎ合わせた編集映像を作成する作成部と、を備えたことを特徴とする。
【０００８】
また、開示のコンテンツ作成プログラムは、会場で実演を視聴している視聴者の一連のバイタル情報の値が所定値以上となった時刻、または、前記バイタル情報の値の変化が所定値以上となった時刻において実演されていた演目を特定する特定ステップと、前記特定ステップによって特定された演目に対応するコンテンツデータを取得する取得ステップと、前記取得ステップによって取得されたコンテンツデータをつなぎ合わせた編集映像を作成する作成ステップと、をコンピュータに実行させることを特徴とする。
【発明の効果】
【０００９】
本願に開示するコンテンツ作成方法、コンテンツ作成装置及びコンテンツ作成プログラムは、コンテンツを視聴する視聴者に応じたコンテンツを提供することが可能である。
【図面の簡単な説明】
【００１０】
【図１】図１は、第一の実施形態に係るシステムにおいて実行されるコンテンツ作成処理の概要を説明する図である。
【図２】図２は、第一の実施形態に係るコンテンツ再生装置の構成の一例を示す図である。
【図３】図３は、第一の実施形態に係るバイタル情報記憶部に記憶される情報の一例を示す図である。
【図４】図４は、第一の実施形態に係るバイタルリスト記憶部に記憶される情報の一例を示す図である。
【図５】図５は、第一の実施形態に係るバイタル情報の変化を検出する処理を説明する図である。
【図６】図６は、第一の実施形態に係るコンテンツ作成装置の構成の一例を示す図である。
【図７】図７は、第一の実施形態に係る演目リスト記憶部に記憶される情報の一例を示す図である。
【図８】図８は、第一の実施形態に係るコンテンツ記憶部に記憶される情報の一例を示す図である。
【図９】図９は、選択コンサート曲リストを作成する処理を説明する図である。
【図１０】図１０は、カスタマイズコンテンツを作成する処理を説明する図である。
【図１１】図１１は、第一の実施形態に係るシステムにおけるコンテンツ作成処理の全体の流れを説明する図である。
【図１２】図１２は、第一の実施形態に係るバイタルセンサにおけるバイタル情報記録処理の流れを説明するためのフローチャートである。
【図１３】図１３は、第一の実施形態に係るシステムにおけるバイタル情報の変化を検出する検出処理の流れを説明するためのシーケンス図である。
【図１４】図１４は、第一の実施形態に係るシステムにおけるコンテンツ作成処理の流れを説明するためのシーケンス図である。
【図１５】図１５は、コンテンツ作成プログラムを実行するコンピュータを示す図である。
【発明を実施するための形態】
【００１１】
以下に図面を参照して、この発明に係るコンテンツ作成方法、コンテンツ作成装置及びコンテンツ作成プログラムの実施形態を詳細に説明する。なお、この実施形態によりこの発明が限定されるものではない。
【００１２】
［第一の実施形態］
以下の実施形態では、第一の実施形態の概要、第一の実施形態に係るコンテンツ再生装置、第一の実施形態に係るコンテンツ作成装置の構成及び各装置による処理の流れを順に説明し、最後に第一の実施形態による効果を説明する。
【００１３】
［概要］
まず、図１を参照しながら、第一の実施形態に係るシステムにおいて実行されるコンテンツ作成処理の概要を説明する。
【００１４】
図１は、第一の実施形態に係るシステムにおいて実行されるコンテンツ作成処理の概要を説明する図である。図１に示すように、第一の実施形態に係るシステムは、コンテンツ再生装置１０と、コンテンツ作成装置２０と、視聴者のバイタル情報（生体情報）を検出するバイタルセンサ３０とを備える。なお、このコンテンツ再生装置１０は、無線通信機能を備えたユーザ端末、例えば、携帯電話機や、スマートフォン、タブレット端末等である。
【００１５】
また、バイタルセンサ３０により検出されるバイタル情報は、例えば、視聴者の呼吸数、脈拍、血圧、体温等である。システムを構成するコンテンツ再生装置１０、コンテンツ作成装置２０、バイタルセンサ３０それぞれの台数は、図１に示す台数に限定されない。以下に、システムの処理の一例を説明する。なお、以下では、視聴者がコンサート会場で音楽を視聴した後に、バイタル情報をもとにＣＤを作成する場合を例に説明する。
【００１６】
まず、バイタルセンサ３０は、視聴者が会場でコンサートを視聴する視聴者の呼吸数や脈拍などのバイタル情報を記録する。そして、コンテンツ再生装置１０は、バイタルセンサ３０からバイタル情報を受信し、該バイタル情報から視聴者の興奮や、視聴者の急激な気持ちの変化を検出し、検出時の時刻情報をバイタル時刻リストに格納する。
【００１７】
続いて、コンテンツ作成装置２０は、バイタル時刻リストをコンテンツ再生装置１０から受信し、該バイタル時刻リストに基づき、リスト項目の時刻部分に相当する曲等をコンサートプログラムから特定する。
【００１８】
そして、コンテンツ作成装置２０は、特定した曲のＣＤリリース版やビデオクリップを取得し、視聴者ごとにカスタマイズされたコンテンツとして作成し、該コンテンツをコンテンツ再生装置１０に提供する。
【００１９】
このようにすることで、コンテンツ作成装置２０は、例えば、コンサートで視聴した感動した曲を視聴者のバイタル情報から特定することにより、視聴者好みにカスタマイズされたコンテンツを作成することができる。
【００２０】
［コンテンツ再生装置の構成］
次に、図２を用いて、コンテンツ再生装置の構成について説明する。図２は、第一の実施形態に係るコンテンツ再生装置の構成の一例を示す図である。図２に示すように、コンテンツ再生装置１０は、通信処理部１１、制御部１２および記憶部１３を有する。
【００２１】
通信処理部１１は、コンテンツ作成装置２０およびバイタルセンサ３０との間でやり取りする各種情報に関する通信を制御する。例えば、通信処理部１１は、コンテンツ作成装置２０に対してバイタル時刻リストを送信し、コンテンツ作成装置２０から作成されたコンテンツを受信する。また、通信処理部１１は、バイタルセンサ３０からバイタル情報を受信する。なお、バイタル情報は、視聴者の呼吸数、脈拍、血圧、および、体温の少なくともいずれかを示す情報である。
【００２２】
記憶部１３は、図２に示すように、バイタル情報記憶部１３ａ、バイタルリスト記憶部１３ｂおよび再生コンテンツ記憶部１３ｃを有する。記憶部１３は、例えば、ＲＡＭ（Random  Access  Memory）、フラッシュメモリ（Flash  Memory）等の半導体メモリ素子、又は、ハードディスク、光ディスク等の記憶装置などである。
【００２３】
バイタル情報記憶部１３ａは、バイタルセンサ３０から受信したバイタル情報を記憶する。ここで、図３を用いて、第一の実施形態に係るバイタル情報記憶部１３ａに記憶される情報の一例について説明する。なお、以下の例では、バイタル情報として、視聴者の脈拍を記憶する場合を例に説明する。
【００２４】
図３は、第一の実施形態に係るバイタル情報記憶部に記憶される情報の一例を示す図である。例えば、バイタル情報記憶部１３ａは、図３に示すように、バイタル情報を一意に識別する「バイタルＩＤ」と、脈拍の値を示す「バイタル情報」と、バイタル情報が記録された時刻を示す「記録時刻」とを対応付けて記憶する。
【００２５】
具体例を挙げて説明すると、図３に例示するように、例えば、バイタル情報記憶部１３ａは、バイタルＩＤ「バイタル１」と、バイタル情報「１００」と、記録時刻「2013/9/2  19：00」とを対応付けて記憶する。これは、バイタルＩＤが「バイタル１」のデータについて、視聴者の１分間における脈拍の値が「１００」であり、そのバイタル情報がバイタルセンサ３０によって記録された時刻が「2013/9/2  19：00」であることを意味する。
【００２６】
バイタルリスト記憶部１３ｂは、バイタル情報記憶部１３ａに記憶されたバイタル情報のうち、バイタル情報の値が所定値以上となったもの、または、バイタル情報の値の変化が所定値以上となったものをバイタル時刻リストとして記憶する。ここで、図４を用いて、バイタルリスト記憶部１３ｂに記憶される情報の一例について説明する。
【００２７】
図４は、バイタルリスト記憶部に記憶される情報の一例を示す図である。例えば、バイタルリスト記憶部１３ｂは、図４に示すように、「バイタルＩＤ」と、「記録時刻」とを対応付けて記憶する。ここで、具体例を挙げて説明すると、図４に例示するように、例えば、バイタルリスト記憶部１３ｂは、バイタルＩＤ「バイタル２」と、記録時刻「2013/9/2  19：01」とを対応付けて記憶する。バイタルリスト記憶部１３ｂに記憶される情報は、後述する検出部１２ｂによって検出されたバイタル情報の一覧が記録されたリストである。
【００２８】
再生コンテンツ記憶部１３ｃは、コンテンツ作成装置２０によって作成されたコンテンツデータを記憶する。この再生コンテンツ記憶部１３ｃに記憶されたコンテンツデータは、後述する再生部１２ｄによって再生することが可能である。また、再生コンテンツ記憶部１３ｃに記憶されたコンテンツデータは、コンテンツ再生装置１０が有する既存の編集機能により、適宜編集可能である。
【００２９】
図２に戻って、制御部１２は、受信部１２ａ、検出部１２ｂ、送信部１２ｃおよび再生部１２ｄを有する。ここで、制御部１２は、ＣＰＵ（Central  Processing  Unit）やＭＰＵ（Micro  Processing  Unit）などの電子回路やＡＳＩＣ（Application  Specific  Integrated  Circuit）やＦＰＧＡ（Field  Programmable  Gate  Array）などの集積回路である。
【００３０】
受信部１２ａは、会場で実演を視聴している視聴者の一連のバイタル情報をバイタルセンサ３０から受信する。例えば、受信部１２ａは、ユーザＩＤをバイタルセンサ３０に送信し、該ユーザＩＤに対応するバイタル情報として、バイタルセンサ３０が１秒ごとに記録したバイタル情報を受信し、バイタル情報記憶部１３ａに格納する。
【００３１】
検出部１２ｂは、受信部１２ａによって受信されたバイタル情報の値が所定値以上となった時刻、または、バイタル情報の値の変化が所定値以上となった時刻を検出する。具体的には、検出部１２ｂは、各バイタル情報の値が所定値以上であるか判定し、所定値以上であるバイタル情報をバイタルリスト記憶部１３ｂに格納する。例えば、検出部１２ｂは、バイタルリスト情報として脈拍の値が１分間に「１０１」以上であるか判定し、「１０１」以上であるバイタル情報の「バイタルＩＤ」および「記録時刻」をバイタルリスト記憶部１３ｂに格納する。
【００３２】
また、検出部１２ｂは、前後する２つのバイタル情報を比較して、所定値以上の変化があるか判定し、所定値以上の変化がある場合には、時刻が先のバイタル情報を検出して、バイタルリスト記憶部１３ｂに格納する。例えば、検出部１２ｂは、前後の２つのバイタルリスト情報として脈拍の値が「３」以上であるか判定し、「３」以上である場合には、時刻が先のバイタル情報の「バイタルＩＤ」および「記録時刻」をバイタルリスト記憶部１３ｂに格納する。
【００３３】
なお、所定値以上の変化がある場合に、時刻が先のバイタル情報を検出する場合に限定されず、例えば、２つのバイタル情報のうち値が大きい方のバイタル情報をバイタルリスト記憶部１３ｂに格納してもよい。例を挙げて説明すると、検出部１２ｂは、前後の２つのバイタルリスト情報として脈拍の値が「３」以上であるか判定し、「３」以上である場合には、脈拍の値が大きいバイタル情報の「バイタルＩＤ」および「記録時刻」をバイタルリスト記憶部１３ｂに格納する。
【００３４】
なお、検出部１２ｂは、バイタル情報の値が所定値以上となった時刻を検出する処理、または、バイタル情報の値の変化が所定値以上となった時刻を検出する処理のいずれかを行ってもよいし、バイタル情報の値が所定値以上であって、且つ、バイタル情報の値の変化が所定値以上となった時刻を検出する処理を行ってもよい。このような検出処理を行うための条件は、視聴者によって適宜変更することが可能である。なお、以下の説明では、バイタル情報の値の変化が所定値以上となった時刻を検出する処理を例として説明する。
【００３５】
ここで図５を用いて、バイタル情報の変化を検出する処理を説明する。図５は、第一の実施形態に係るバイタル情報の変化を検出する処理を説明する図である。まず、コンテンツ再生装置１０の検出部１２ｂは、全バイタル情報から、バイタル情報を時系列順に２つ読み出し、後の情報がまだあるかを判定する。ここで、検出部１２ｂが、後の情報があると判定した場合、読み出した２つのバイタル情報を比較し、情報の変化が所定の閾値以上か否かを判定する。ここで、検出部１２ｂが、情報の変化は所定の閾値以上と判定した場合、読み出した２つのバイタル情報のうち先のバイタル情報の時刻（記録時刻）をリストに載せる。検出部１２ｂが、上記の処理を繰り返すことで、例えば、変化が所定の閾値以上のバイタル情報（バイタル２，５，…，Ｘ）の時刻リストが作成される。
【００３６】
送信部１２ｃは、バイタルリスト記憶部１３ｂに記憶されたバイタル時刻リストをコンテンツ作成装置２０に送信する。例えば、送信部１２ｃは、視聴者によりカスタマイズコンテンツ作成の指示を受け付けた場合に、カスタマイズコンテンツ作成要求として、バイタル時刻リストと、視聴者が参加したコンサートチケットＩＤとをコンテンツ作成装置２０に送信する。
【００３７】
再生部１２ｄは、コンテンツ作成装置２０によって作成されたコンテンツを再生する。例えば、再生部１２ｄは、コンテンツ作成装置２０から視聴者用にカスタマイズされたコンテンツを受信し、受信したコンテンツを再生コンテンツ記憶部１３ｃに格納する。また、再生部１２ｄは、視聴者からコンテンツ再生の指示を受け付けると、コンテンツの再生を行う。
【００３８】
［コンテンツ作成装置の構成］
次に、図６を用いて、コンテンツ作成装置の構成について説明する。図６は、第一の実施形態に係るコンテンツ作成装置の構成の一例を示す図である。図６に示すように、コンテンツ作成装置２０は、通信処理部２１、制御部２２および記憶部２３を有する。
【００３９】
通信処理部２１は、コンテンツ再生装置１０およびバイタルセンサ３０との間でやり取りする各種情報に関する通信を制御する。例えば、通信処理部２１は、コンテンツ再生装置１０からバイタル時刻リストを受信し、コンテンツ再生装置１０にコンテンツを送信する。
【００４０】
記憶部２３は、図６に示すように、演目リスト記憶部２３ａ、コンテンツ記憶部２３ｂ、バイタルリスト記憶部２３ｃおよび視聴者用コンテンツ記憶部２３ｄを有する。記憶部２３は、例えば、ＲＡＭ（Random  Access  Memory）、フラッシュメモリ（Flash  Memory）等の半導体メモリ素子、又は、ハードディスク、光ディスク等の記憶装置などである。
【００４１】
演目リスト記憶部２３ａは、会場で実演されたコンサートや芝居などの演奏プログラムや公演プログラムを記憶する。ここで、図７の例を用いて、演目リスト記憶部２３ａに記憶される情報の一例について説明する。
【００４２】
図７は、第一の実施形態に係る演目リスト記憶部に記憶される情報の一例を示す図である。なお、図７に例示する情報のリストは、各コンサートや芝居ごとに別々に記憶されており、コンサートチケットＩＤなどに対応付けて管理されているものとする。例えば、図７に示すように、演目リスト記憶部２３ａは、演奏した曲を一意に識別する「曲ＩＤ」と、コンサート等で演奏した時刻を示す「演奏時刻」とを対応付けて記憶する。
【００４３】
具体例を挙げて説明すると、演目リスト記憶部２３ａは、曲ＩＤ「曲０１」と、演奏時刻「2013/9/2  19：00」とを対応付けて記憶する。これは、曲ＩＤ「曲０１」の曲がコンサートにおいて「2013/9/2  19：00」の時刻に演奏されたことを意味する。
【００４４】
コンテンツ記憶部２３ｂは、音楽データやビデオクリップなどの各種コンテンツを記憶する。ここで、図８の例を用いて、コンテンツ記憶部２３ｂに記憶される情報の一例について説明する。図８は、第一の実施形態に係るコンテンツ記憶部に記憶される情報の一例を示す図である。なお、図８の例では、コンテンツに関する情報を示すリストを記憶していることを示すが、このリストのほかに、コンテンツデータそのものもコンテンツ記憶部２３ｂに記憶されているものとする。
【００４５】
例えば、図８に示すように、コンテンツ記憶部２３ｂは、「曲ＩＤ」と、コンテンツを一意に識別する「コンテンツＩＤ」と、曲の題名を示す「曲名」と、曲の再生時間を示す「再生時間」とを対応付けて記憶する。具体例を挙げて説明すると、曲名「曲０１」と、コンテンツＩＤ「ＣＤ１０−００３」と、曲名「春の歌」と、再生時間「３：４０」とが対応付けて記憶されている。
【００４６】
バイタルリスト記憶部２３ｃは、バイタル情報のうち、バイタル情報の値が所定値以上となったもの、または、バイタル情報の値の変化が所定値以上となったものをバイタル時刻リストとして記憶する。バイタルリスト記憶部２３ｃに記憶されたバイタル情報は、コンテンツ再生装置１０から受信した情報であり、前述したバイタルリスト記憶部１３ｂと同様の情報を記憶するため、具体的な説明を省略する。
【００４７】
視聴者用コンテンツ記憶部２３ｄは、コンサート等に参加した視聴者用にカスタマイズされたコンテンツデータを記憶する。また、視聴者用コンテンツ記憶部２３ｄに記憶されたコンテンツデータは、後述する作成部２２ｃによって作成されたコンテンツである。
【００４８】
図６に戻って、制御部２２は、特定部２２ａ、取得部２２ｂ、作成部２２ｃおよび提供部２２ｄを有する。ここで、制御部２２は、ＣＰＵ（Central  Processing  Unit）やＭＰＵ（Micro  Processing  Unit）などの電子回路やＡＳＩＣ（Application  Specific  Integrated  Circuit）やＦＰＧＡ（Field  Programmable  Gate  Array）などの集積回路である。
【００４９】
特定部２２ａは、コンテンツ再生装置１０によって検出された時刻において実演されていた演目を特定する。具体的には、特定部２２ａは、会場で実演された曲を識別する曲ＩＤと該曲が実演された時刻とを対応付けて記憶する演目リスト記憶部２３ａから、コンテンツ再生装置１０の検出部１２ｂによって検出された時刻に対応する曲を取得し、取得された曲を実演されていた曲として特定する。
【００５０】
例えば、特定部２２ａは、コンテンツ再生装置１０からバイタル時刻リストとともにコンサートチケットＩＤなどの視聴者が参加したコンサート等を特定できる情報を受信すると、バイタル時刻リストをバイタルリスト記憶部２３ｃに格納する。そして、特定部２２ａは、コンサートチケットＩＤからコンサート情報を特定し、コンサート情報を用いて演目リスト記憶部２３ａからコンサートプログラム（全演奏曲リスト）を読み出す。
【００５１】
そして、特定部２２ａは、例えば、バイタル時刻リストから各項目とコンサートプログラムを参照し、項目ごとに時刻の演奏曲を特定し、視聴者ごとに選択コンサート曲リストを作成する。
【００５２】
ここで、図９を用いて、選択コンサート曲リストを作成する処理について説明する。図９は、選択コンサート曲リストを作成する処理を説明する図である。図９に示すように、特定部２２ａは、コンテンツ再生装置１０から受信したバイタル時刻リストを読み出し、項目がまだあるか否かを判定する。この結果、特定部２２ａは、項目がまだあると判定した場合には、リストの１項目を読み出し、プログラムの対応時刻における演奏曲にマークし、それを選択コンサートリストに追加する。上記の処理をバイタル時刻リストの項目がなくなるまで繰り返す。
【００５３】
例えば、図９に例示するように、特定部２２ａは、バイタル時刻リストにバイタル２、バイタル５・・・バイタルＸの記録時刻が含まれている場合には、コンサートプログラムにおける演奏時刻と比較し、バイタル２の記録時刻に対応する「曲０１」、バイタル５の記録時刻に対応する「曲０２」・・・バイタルＸの記録時刻に対応する「曲ＸＸ」を選択コンサートリストに追加していく。
【００５４】
取得部２２ｂは、特定部２２ａによって特定された演目に対応するコンテンツデータを取得する。例えば、取得部２２ｂは、特定部２２ａによって作成された選択コンサートリストに含まれる曲ＩＤである「曲０１」、「曲０２」・・・「曲ＸＸ」をキーとして、コンテンツ記憶部２３ｂからコンテンツデータを取得し、カスタマイズコンテンツの一覧に追加していく。
【００５５】
ここで、図１０を用いて、カスタマイズコンテンツを作成する処理について説明する。図１０は、カスタマイズコンテンツを作成する処理を説明する図である。図１０に示すように、取得部２２ｂは、選択コンサート曲リストを読み出し、項目があるか否かを判定する。そして、取得部２２ｂは、項目がまだあると判定した場合には、リストの１項目を読み出し、曲ＩＤをキーとして、コンテンツ記憶部２３ｂに記憶されたデータに対応する関連コンテンツを読み出し、カスタマイズコンテンツに追加する。上記の処理を選択コンサート曲リストの項目がなくなるまで繰り返す。
【００５６】
例えば、図１０に例示するように、選択コンサート曲リストに含まれる曲ＩＤである「曲０１」、「曲０２」・・・「曲ＸＸ」が含まれている場合には、コンテンツＩＤ「ＣＤ１０−００３」、コンテンツＩＤ「ＣＤ２０−００５」・・・コンテンツＩＤ「ＣＤ３０−００７」のコンテンツデータがカスタマイズコンテンツの一覧に追加される。
【００５７】
作成部２２ｃは、取得部２２ｂによって取得されたコンテンツデータをつなぎ合わせた編集映像を作成する。例えば、作成部２２ｃは、取得部２２ｂによって作成されたカスタマイズコンテンツのコンテンツデータをつなぎ合わせて編集映像を作成し、視聴者用コンテンツ記憶部２３ｄに格納する。
【００５８】
提供部２２ｄは、作成部２２ｃによって作成されたコンテンツデータをコンテンツ再生装置１０に提供する。例えば、提供部２２ｄは、視聴者用コンテンツ記憶部２３ｄに記憶されたコンテンツデータを読み出し、該コンテンツデータをコンテンツ再生装置１０に送信する。
【００５９】
ここで、図１１を用いて、コンテンツ作成処理の全体の流れを説明する。図１１は、第一の実施形態に係るシステムにおけるコンテンツ作成処理の全体の流れを説明する図である。図１１に示すように、バイタルセンサ３０は、視聴者からバイタル情報記録開始指示を受け付けると、視聴者のバイタル情報を記録する処理を開始し、バイタル情報記録機能によりバイタル情報を記録する。そして、記録したバイタル情報をコンテンツ再生装置１０に転送する。
【００６０】
続いて、コンテンツ再生装置１０は、前後する２つのバイタル情報を比較して急激な変化があるデータを特定し、それをバイタル時刻リストとしてリスト化する。そして、コンテンツ再生装置１０は、バイタル時刻リストと、視聴者が参加したコンサートチケットＩＤとをコンテンツ作成装置２０に送信する。
【００６１】
そして、コンテンツ作成装置２０は、コンサートチケットＩＤからコンサート情報を特定し、さらにコンサート情報を用いて演目リスト記憶部２３ａからコンサートプログラム（全演奏曲リスト）を特定する。
【００６２】
続いて、コンテンツ作成装置２０は、バイタル時刻リストから各項目とコンサートプログラムを参照して、項目ごとに時刻の演奏曲を特定し、視聴者ごとに選択コンサート曲リストを作成する。そして、コンテンツ作成装置２０は、視聴者ごとに選択コンサート曲リストから各曲関連コンテンツを特定し、当該コンテンツを読み出して組み合わせ、視聴者ごとにカスタマイズコンテンツを作成する。
【００６３】
このように、コンテンツ作成装置２０では、例えば、コンサートで視聴した感動した曲を視聴者のバイタル情報から特定することにより、視聴者好みにカスタマイズコンテンツを作成することが可能である。
【００６４】
［バイタルセンサによる処理］
次に、図１２を用いて、第一の実施形態に係るバイタルセンサ３０におけるバイタル情報記録処理の流れを説明する。図１２は、第一の実施形態に係るバイタルセンサにおけるバイタル情報記録処理の流れを説明するためのフローチャートである。
【００６５】
図１２に示すように、バイタルセンサ３０は、バイタル情報記録開始指示を視聴者から受け付けると（ステップＳ１０１肯定）、バイタル情報記録開始する（ステップＳ１０２）。そして、バイタルセンサ３０は、１分経過したか否かを判定し（ステップＳ１０３）、１分経過した場合には（ステップＳ１０３肯定）、バイタル情報を記録する（ステップＳ１０４）。
【００６６】
そして、バイタルセンサ３０は、バイタル情報記録終了指示を受け付けたか否かを判定する（ステップＳ１０５）。この結果、バイタルセンサ３０は、バイタル情報記録終了指示を受け付けていない場合には（ステップＳ１０５否定）、ステップＳ１０３の処理に戻って、上記の処理を繰り返す。一方、バイタルセンサ３０は、バイタル情報記録終了指示を受け付けた場合には（ステップＳ１０５肯定）、処理を終了する。
【００６７】
［システムによる全体処理］
次に、図１３および図１４を用いて、第一の実施形態に係るシステムにおける全体の処理の流れを説明する。図１３は、第一の実施形態に係るシステムにおけるバイタル情報の変化を検出する検出処理の流れを説明するためのシーケンス図である。図１４は、第一の実施形態に係るシステムにおけるコンテンツ作成処理の流れを説明するためのシーケンス図である。
【００６８】
まず、図１３を用いて、バイタル情報の変化を検出する検出処理の流れを説明する。図１３に示すように、コンテンツ再生装置１０は、視聴者からデータ転送指示を受け付けると（ステップＳ２０１）、バイタルセンサ３０にバイタル情報を要求する（ステップＳ２０２）。そして、バイタルセンサ３０は、コンテンツ再生装置１０に対してバイタル情報を送信する（ステップＳ２０３）。そして、コンテンツ再生装置１０は、バイタル情報を受信すると、視聴者に対してデータ転送が完了した旨を通知する（ステップＳ２０４）。例えば、コンテンツ再生装置１０は、バイタル情報のデータ転送が完了した旨のメッセージを表示することで、視聴者に対してデータ転送が完了した旨を通知する。
【００６９】
そして、コンテンツ再生装置１０は、視聴者からバイタル情報をバイタル時刻リスト化する旨の指示を受け付けると（ステップＳ２０５）、前後する２つのバイタル情報を比較して急激な変化があるデータを特定し、それをリスト化する（ステップＳ２０６）。例えば、コンテンツ再生装置１０は、後の情報があると判定した場合、読み出した２つのバイタル情報を比較し、バイタル情報の変化が所定の閾値以上か否かを判定する。
【００７０】
この結果、コンテンツ再生装置１０は、バイタル情報の変化が所定の閾値以上と判定した場合、読み出した２つのバイタル情報のうち先のバイタル情報の時刻（記録時刻）をリストに載せる。その後、コンテンツ再生装置１０は、バイタル時刻リスト化が完了した旨を視聴者に通知する（ステップＳ２０７）。例えば、コンテンツ再生装置１０は、バイタル時刻リスト化が完了した旨のメッセージを表示することで視聴者に通知する。
【００７１】
次に、図１４を用いて、コンテンツ作成処理の流れを説明する。図１４に示すように、コンテンツ再生装置１０は、カスタマイズコンテンツの作成要求を視聴者から受け付けると（ステップＳ３０１）、コンサートチケットＩＤおよびバイタル時刻リストを含むカスタマイズコンテンツ作成要求をコンテンツ作成装置２０に送信する（ステップＳ３０２）。
【００７２】
そして、コンテンツ作成装置２０は、コンサートチケットＩＤからコンサート情報を特定し（ステップＳ３０３）、さらにコンサート情報を用いて演目リスト記憶部２３ａからコンサートプログラム（全演奏曲リスト）を特定する（ステップＳ３０４）。
【００７３】
続いて、コンテンツ作成装置２０は、バイタル時刻リストから各項目とコンサートプログラムを参照して、項目ごとに時刻の演奏曲を特定し、視聴者ごとに選択コンサート曲リストを作成する（ステップＳ３０５）。そして、コンテンツ作成装置２０は、視聴者ごとに選択コンサート曲リストから各曲関連コンテンツを特定し、当該コンテンツを読み出して組み合わせ、視聴者ごとにカスタマイズコンテンツを作成する（ステップＳ３０６）。
【００７４】
その後、コンテンツ作成装置２０は、コンテンツ再生装置１０に対してカスタマイズコンテンツを送信する（ステップＳ３０７）。これにより、コンテンツ作成装置２０では、例えば、コンサートで視聴した感動した曲を視聴者のバイタル情報から特定することにより、視聴者好みにカスタマイズコンテンツを作成することが可能である。
【００７５】
[第一の実施形態の効果]
上述してきたように、第一の実施形態にかかるコンテンツ再生装置１０が、会場で実演を視聴している視聴者の一連のバイタル情報を受信し、受信されたバイタル情報の値が所定値以上となった時刻、または、バイタル情報の値の変化が所定値以上となった時刻を検出する。そして、コンテンツ作成装置２０は、検出された時刻において実演されていた演目を特定し、特定された演目に対応するコンテンツデータを取得し、取得されたコンテンツデータをつなぎ合わせた編集映像を作成する。これにより、コンテンツを視聴する視聴者に応じたコンテンツを提供することが可能である。例えば、コンサートで視聴した感動した曲を視聴者のバイタル情報から特定することにより、視聴者好みにカスタマイズコンテンツを作成することが可能である。
【００７６】
［システム構成等］
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、受信部１２ａと検出部１２ｂとを統合してもよい。また、上記では、コンテンツ再生装置１０およびコンテンツ作成装置２０によって処理を実現していたが、例えば、コンテンツ再生装置１０が有する受信部１２ａ、検出部１２ｂ、送信部１２ｃおよび再生部１２ｄに対応する機能部をコンテンツ作成装置２０が有し、コンテンツ作成装置２０のみで処理を実現するようにしてもよい。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００７７】
また、本実施形態において説明した各処理のうち、自動的におこなわれるものとして説明した処理の全部または一部を手動的に行うこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００７８】
［プログラム］
また、上記実施形態において説明したコンテンツ作成装置２０が実行する処理をコンピュータが実行可能な言語で記述したプログラムを作成することもできる。例えば、第一の実施形態に係るコンテンツ作成装置２０が実行する処理をコンピュータが実行可能な言語で記述したコンテンツ作成プログラムを作成することもできる。この場合、コンピュータがコンテンツ作成プログラムを実行することにより、上記実施形態と同様の効果を得ることができる。さらに、かかるコンテンツ作成プログラムをコンピュータ読み取り可能な記録媒体に記録して、この記録媒体に記録されコンテンツ作成プログラムをコンピュータに読み込ませて実行することにより上記第一の実施形態と同様の処理を実現してもよい。以下に、図６に示したコンテンツ作成装置２０と同様の機能を実現するコンテンツ作成プログラムを実行するコンピュータの一例を説明する。
【００７９】
図１５は、コンテンツ作成プログラムを実行するコンピュータ１０００を示す図である。図１５に例示するように、コンピュータ１０００は、例えば、メモリ１０１０と、ＣＰＵ１０２０と、ハードディスクドライブインタフェース１０３０と、ディスクドライブインタフェース１０４０と、シリアルポートインタフェース１０５０と、ビデオアダプタ１０６０と、ネットワークインタフェース１０７０とを有し、これらの各部はバス１０８０によって接続される。
【００８０】
メモリ１０１０は、図１５に例示するように、ＲＯＭ（Read  Only  Memory）１０１１及びＲＡＭ１０１２を含む。ＲＯＭ１０１１は、例えば、ＢＩＯＳ（Basic  Input  Output  System）等のブートプログラムを記憶する。ハードディスクドライブインタフェース１０３０は、図１５に例示するように、ハードディスクドライブ１０３１に接続される。ディスクドライブインタフェース１０４０は、図１５に例示するように、ディスクドライブ１０４１に接続される。例えば磁気ディスクや光ディスク等の着脱可能な記憶媒体が、ディスクドライブ１０４１に挿入される。シリアルポートインタフェース１０５０は、図１５に例示するように、例えばマウス１０５１、キーボード１０５２に接続される。ビデオアダプタ１０６０は、図１５に例示するように、例えばディスプレイ１０６１に接続される。
【００８１】
ここで、図１５に例示するように、ハードディスクドライブ１０３１は、例えば、ＯＳ１０９１、アプリケーションプログラム１０９２、プログラムモジュール１０９３、プログラムデータ１０９４を記憶する。すなわち、上記のコンテンツ作成プログラムは、コンピュータ１０００によって実行される指令が記述されたプログラムモジュールとして、例えばハードディスクドライブ１０３１に記憶される。
【００８２】
また、上記実施形態で説明した各種データは、プログラムデータとして、例えばメモリ１０１０やハードディスクドライブ１０３１に記憶される。そして、ＣＰＵ１０２０が、メモリ１０１０やハードディスクドライブ１０３１に記憶されたプログラムモジュール１０９３やプログラムデータ１０９４を必要に応じてＲＡＭ１０１２に読み出し、各種処理手順を実行する。
【００８３】
なお、コンテンツ作成プログラムに係るプログラムモジュール１０９３やプログラムデータ１０９４は、ハードディスクドライブ１０３１に記憶される場合に限られず、例えば着脱可能な記憶媒体に記憶され、ディスクドライブ１０４１等を介してＣＰＵ１０２０によって読み出されてもよい。あるいは、コンテンツ作成プログラムに係るプログラムモジュール１０９３やプログラムデータ１０９４は、ネットワーク（ＬＡＮ（Local  Area  Network）、ＷＡＮ（Wide  Area  Network）等）を介して接続された他のコンピュータに記憶され、ネットワークインタフェース１０７０を介してＣＰＵ１０２０によって読み出されてもよい。
【符号の説明】
【００８４】
１０  コンテンツ再生装置
１１  通信処理部
１２  制御部
１２ａ  受信部
１２ｂ  検出部
１２ｃ  送信部
１２ｄ  再生部
１３  記憶部
１３ａ  バイタル情報記憶部
１３ｂ  バイタルリスト記憶部
１３ｃ  再生コンテンツ記憶部
２０  コンテンツ作成装置
２１  通信処理部
２２  制御部
２２ａ  特定部
２２ｂ  取得部
２２ｃ  作成部
２２ｄ  提供部
２３  記憶部
２３ａ  演目リスト記憶部
２３ｂ  コンテンツ記憶部
２３ｃ  バイタルリスト記憶部
２３ｄ  視聴者用コンテンツ記憶部
３０  バイタルセンサ
【図１】
0006034277.tif 000002
【図２】
0006034277.tif 000003
【図３】
0006034277.tif 000004
【図４】
0006034277.tif 000005
【図５】
0006034277.tif 000006
【図６】
0006034277.tif 000007
【図７】
0006034277.tif 000008
【図８】
0006034277.tif 000009
【図９】
0006034277.tif 000010
【図１０】
0006034277.tif 000011
【図１１】
0006034277.tif 000012
【図１２】
0006034277.tif 000013
【図１３】
0006034277.tif 000014
【図１４】
0006034277.tif 000015
【図１５】
0006034277.tif 000016